(57)【特許請求の範囲】
【請求項１】
帯状布を長手方向と平行に二つ折りすると共に、相対向する表裏の帯状布片どうしを、幅方向の中間部で線状に縫着し、縫着線よりも内側の二重帯状布片に、雄又は雌型の嵌合部材とそれを布地に止着するためのリベット部材とからなる雄又は雌型のスナップを、長手方向適当間隔おきに取り付け、縫着線よりも外側に、衣服の布地端縁を挟み込んで縫着する表裏一対の縫い代用帯状布片を形成してあることを特徴とする衣服用テープ状スナップ止め具。
【請求項２】
表裏一対の縫い代用帯状布の幅が同一又は略同一であることを特徴とする請求項１に記載の衣服用テープ状スナップ止め具。
【請求項３】
表裏一対の縫い代用帯状布の幅が異なることを特徴とする請求項１に記載の衣服用テープ状スナップ止め。
【請求項４】
表裏一対の縫い代用帯状布が内側に折り返されていることを特徴とする請求項１〜３の何れかに記載の衣服用テープ状スナップ止め具。
【発明の詳細な説明】
【０００１】
【発明の属する技術分野】
本発明は、衣服用テープ状スナップ止め具に関する。
【０００２】
【従来の技術】
例えば、胸元から足先まで連続して開閉できるベビー用カバーオールのような衣服では、開閉端縁（打合せ部）の長さが長く、衣服一着あたり、かなりの数のスナップファスナーが使用されている。
【０００３】
ところが、従来では、ベビー用カバーオールの形状に縫製した後で、開閉端縁（打合せ部）にスナップファスナーを取り付けていたため、スナップファスナー打ち機として、取付け対象である布地を一方向に間欠的に送りつつスナップファスナーを取り付けるような自動機を使用することができず、足踏み式スナップファスナー打ち機による手作業となるため、スナップファスナーの取付けに多くの手間を要し、生産性が著しく低かった。
【０００４】
殊に、スナップファスナーの取付けを一個ずつ手作業で行う都合上、開閉端縁（打合せ部）の両側に相対向して取り付けられる雄型スナップと雌型スナップの位置や間隔が狂わないように、予め、衣服表面のスナップ取付け位置にサインペン等で目印を付け、この目印に合わせてスナップファスナーを打ち込むことが必要とされ、その結果、白色や黄色など、薄い色の合成樹脂製スナップファスナーを使用した場合、スナップファスナーが取り付けられた状態において、衣服表面に記された目印がリベット部材の頭部から透けて見えることがあり、商品価値を低下させる一因となっていた。
【０００５】
【発明が解決しようとする課題】
上記の現状に鑑み、本発明は、自動機を使用してスナップファスナーの取付けを行えて、ベビー用カバーオール等の衣服を能率良く、しかも、美麗な外観に生産できるようにすることを課題とする。
【０００６】
【課題を解決するための手段】
上記の課題を解決するために、本発明が講じた技術的手段は、次のとおりである。即ち、本発明による衣服用テープ状スナップ止め具は、帯状布を長手方向と平行に二つ折りすると共に、相対向する表裏の帯状布片どうしを、幅方向の中間部（中ほどの位置と言う意味であり、幅方向の中央位置である必要はない。）で線状に縫着し、縫着線よりも内側の二重帯状布片に、雄又は雌型の嵌合部材とそれを布地に止着するためのリベット部材とからなる雄又は雌型のスナップを、長手方向適当間隔おきに取り付け、縫着線よりも外側に、衣服の布地端縁を挟み込んで縫着する表裏一対の縫い代用帯状布片を形成したことを特徴としている。
【０００７】
上記の構成によれば、衣服用テープ状スナップ止め具の製造工程においては、雌雄スナップの取付け対象が衣服（ベビー用カバーオール等）の形状をしていない単純なテープ状の布地であるため、スナップファスナー打ち機として、取付け対象である布地を一方向に間欠的に送りつつスナップファスナーを取り付けるような自動機を使用することが可能であり、予め製造した衣服用テープ状スナップ止め具を衣服の所定位置にミシンで縫い着けることによって、製品となるので、ベビー用カバーオール等の形状に縫製した後で、開閉端縁（打合せ部）にスナップファスナーを取り付ける場合に比して、生産性を著しく高めることができる。
【０００８】
しかも、衣服用テープ状スナップ止め具には、縫着線よりも外側に表裏一対の縫い代用帯状布片を形成してあり、この縫い代用帯状布片間に、衣服の布地端縁を挟み込んで縫着するようにしたので、帯状布として、衣服のとも生地（衣服と同じ布地）を使用することにより、衣服の縫製後にスナップファスナーを取り付けた従来製品に比較して遜色ない自然で美麗な外観を確保できるのである。
【０００９】
尚、表裏一対の縫い代用帯状布は、それらの幅を互いに略同一に設定してもよく、表側（又は裏側）の縫い代用帯状布の幅を、裏側（又は表側）の縫い代用帯状布の幅よりも広く設定してもよい。また、表裏一対の縫い代用帯状布は、衣服の布地端縁を挟み込んで縫着する際、縫い代用帯状布の自由端縁を内側に折り返して縫着したり、衣服用テープ状スナップ止め具の製造時点で、予め自由端縁を内側に折り返して縫着しておくことが望ましい。
【００１０】
【発明の実施の形態】
図１は、雄型の衣服用テープ状スナップ止め具１を示し、図２は、雌型の衣服用テープ状スナップ止め具１を示す。これらの衣服用テープ状スナップ止め具１は、帯状布２を長手方向と平行に二つ折りすると共に、相対向する表裏の帯状布片２ａ，２ｂどうしを、幅方向の中間部で線状に縫着し、縫着線３よりも内側の二重帯状布片に、雄又は雌型の合成樹脂製嵌合部材４とそれを布地に止着するための合成樹脂製リベット部材５とからなる雄又は雌型のスナップ６を、長手方向適当間隔おきに取り付け、縫着線３よりも外側に、衣服の布地端縁を挟み込んで縫着する表裏一対の縫い代用帯状布片７ａ，７ｂを形成したものである。
【００１１】
合成樹脂製嵌合部材４は射出成形品であり、雄又は雌型の嵌合部（弾性嵌合する部分）８の中央に貫通孔９を形成してある。合成樹脂製リベット状部材５は、頭部５ａとその裏面に突設された突起５ｂとから構成された射出成形品であり、縫着線３よりも内側の二重帯状布片の片側から打ち込んだ突起５ｂを合成樹脂製嵌合部材４の前記貫通孔９に挿入し、その突出先端を打撃により拡径変形して、カシメ止めすることによって、合成樹脂製嵌合部材４を二重帯状布片に止着するようになっている。
【００１２】
上記の構成によれば、衣服用テープ状スナップ止め具１の製造工程においては、雌雄スナップ６の取付け対象が衣服（ベビー用カバーオール等）の形状をしていない単純なテープ状の布地であるため、スナップファスナー打ち機として、取付け対象である布地を一方向に間欠的に送りつつスナップファスナーを取り付けるような自動機を使用することが可能である。
【００１３】
そして、図３〜図５に示すように、予め製造した衣服用テープ状スナップ止め具１を衣服（この例では、ベビー用カバーオール）１０の所定位置にミシンで縫い着けることによって、製品となるので、ベビー用カバーオール等の形状に縫製した後で、開閉端縁（打合せ部）にスナップファスナーを取り付ける場合に比して、生産性を著しく高めることができる。
【００１４】
しかも、衣服用テープ状スナップ止め具１には、縫着線３よりも外側に表裏一対の縫い代用帯状布片７ａ，７ｂを形成してあり、図４、図５に示すように、縫い代用帯状布片７ａ，７ｂ間に、衣服１０の布地端縁１０ａを挟み込んで縫着１１するようにしたので、帯状布として、衣服１０のとも生地（衣服と同じ布地）を使用することにより、衣服の縫製後にスナップファスナーを取り付けた従来製品に比較して遜色ない自然で美麗な外観を確保できるのである。
【００１５】
図１〜図５で示した衣服用テープ状スナップ止め具１では、表裏一対の縫い代用帯状布７ａ，７ｂが各々一重になっているが、図６に示すように、衣服１０の布地端縁１１を挟み込んで縫着する際、縫い代用帯状布７ａ，７ｂの自由端縁を内側に折り返して縫着したり、衣服用テープ状スナップ止め具１の製造時点で、予め自由端縁を内側に折り返して縫着するようにしてもよい。
【００１６】
また、図１〜図５で示した衣服用テープ状スナップ止め具１では、表裏一対の縫い代用帯状布７ａ，７ｂの幅を互いに略同一に設定してあるが、図７のＡ，Ｂに示すように、表側（又は裏側）の縫い代用帯状布７ａ（７ｂ）の幅を、裏側（又は表側）の縫い代用帯状布７ｂ（７ａ）の幅よりも広く設定してもよい。尚、図７のＡ，Ｂで示した衣服用テープ状スナップ止め具１では、表裏一対の縫い代用帯状布７ａ，７ｂの自由端縁を予め内側に折り返して縫着してあるが、縫い代用帯状布７ａ，７ｂの何れか一方又は双方を一重に形成してもよい。
【００１７】
【発明の効果】
本発明は、上述した構成よりなり、自動機を使用してスナップファスナーの取付けを行えて、ベビー用カバーオール等の衣服を能率良く、しかも、美麗な外観に生産できる効果がある。
【図面の簡単な説明】
【図１】雄型の衣服用テープ状スナップ止め具を示す斜視図である。
【図２】雌型の衣服用テープ状スナップ止め具を示す斜視図である。
【図３】使用状態を示すベビー用カバーオールの斜視図である。
【図４】使用状態を示す要部の斜視図である。
【図５】使用状態を示す要部の断面図である。
【図６】他の実施の形態を示す断面図である。
【図７】他の実施の形態を示す断面図である。
【符号の説明】
１…衣服用テープ状スナップ止め具、２…帯状布、２ａ，２ｂ…表裏の帯状布片、３…縫着線、４…嵌合部材、５…リベット部材、６…スナップ、７ａ，７ｂ…表裏一対の縫い代用帯状布片。
【図１】
0004074403.tif 000002
【図２】
0004074403.tif 000003
【図３】
0004074403.tif 000004
【図４】
0004074403.tif 000005
【図５】
0004074403.tif 000006
【図６】
0004074403.tif 000007
【図７】
0004074403.tif 000008